(57)【要約】【課題】移動先での受信可能なネットワークを優先的にサーチし、選択することにより、ユーザを長時間待たせることなく、ネットワーク接続することができる携帯通信端末装置を提供する。【解決手段】移動スケジュール情報取得部１３２は、移動スケジュール情報を取得し、移動スケジュールテーブル１３３に移動スケジュール情報を保存する。渡航先で優先的に接続するネットワークを決定する優先ネットワーク判定部１３１により、前記移動スケジュールテーブル１３３に登録されている移動スケジュール情報に基づいてどのタイミングでどのネットワークを選択すべきかを示すネットワーク切替スケジュール情報を保持するネットワーク切替スケジュールテーブル１３５を生成し、このテーブルに登録されているネットワーク情報から優先的に接続するネットワークを決定する。【選択図】図１
2008258739.tif 000002
【特許請求の範囲】
【請求項１】
ローミング機能を有する携帯通信端末装置であって、
移動スケジュール情報を保存するための移動スケジュールテーブルと、
前記移動スケジュール情報を取得し、前記移動スケジュールテーブルに前記移動スケジュール情報を登録する移動スケジュール情報取得手段と、
ローミング可能なネットワーク事業者が提供するネットワーク情報を保存するネットワーク情報テーブルと、
電源ＯＮ時に優先的に接続するネットワークの接続タイムスケジュールを保存するネットワーク切替スケジュールテーブルと、
前記移動スケジュール情報と、前記ネットワーク情報とから優先ネットワーク情報を生成し、該優先ネットワーク情報及び前記移動スケジュール情報に基づいて前記ネットワーク切替スケジュールテーブルを生成する優先ネットワーク判定手段と、
現在時刻を確認するための内部時計と、を備え、
前記優先ネットワーク判定手段は、前記ネットワーク切替スケジュールテーブルに保存した前記接続タイムスケジュールの時刻と前記内部時計の時刻とを比較し、優先的に接続するネットワークを決定するようにしたことを特徴とする携帯通信端末装置。
【請求項２】
前記移動スケジュール情報取得手段は、通信回線を介して配信された前記移動スケジュール情報により前記移動スケジュールテーブルを生成することを特徴とする請求項１に記載の携帯通信端末装置。
【請求項３】
前記移動スケジュール情報取得手段は、ユーザインターフェース操作手段を備え、直接、該ユーザインターフェース操作手段により取得した移動スケジュール情報により前記移動スケジュールテーブルを生成することを特徴とする請求項１に記載の携帯通信端末装置。
【請求項４】
ローミング機能を有する携帯通信端末装置であって、
移動スケジュール情報を保存するための移動スケジュールテーブルと、
前記移動スケジュール情報を感知する非接触型センサと、
前記非接触型センサから転送される前記移動スケジュール情報を取得し、前記移動スケジュールテーブルに前記移動スケジュール情報を登録する移動スケジュール情報取得手段と、
ローミング可能なネットワーク事業者が提供するネットワーク情報を保存するネットワーク情報テーブルと、
電源ＯＮ時に優先的に接続するネットワークの接続タイムスケジュールを保存するネットワーク切替スケジュールテーブルと、
前記移動スケジュール情報と、前記ネットワーク情報とから優先ネットワーク情報を生成し、該優先ネットワーク情報及び前記移動スケジュール情報に基づいて前記ネットワーク切替スケジュールテーブルを生成する優先ネットワーク判定手段と、
現在時刻を確認するための内部時計と、を備え、
前記優先ネットワーク判定手段は、前記ネットワーク切替スケジュールテーブルに保存した前記接続タイムスケジュールの時刻と前記内部時計の時刻とを比較して、優先的に接続するネットワークを決定するようにしたことを特徴とする携帯通信端末装置。
【請求項５】
前記ネットワーク情報テーブルは、予め前記携帯通信端末装置内に生成されていることを特徴とする請求項１から請求項４のいずれか１項に記載の携帯通信端末装置。
【請求項６】
前記優先ネットワーク判定手段は、通信回線を介して配信された前記ネットワーク情報により前記ネットワーク情報テーブルを生成することを特徴とする請求項１から請求項４のいずれか１項に記載の携帯通信端末装置。
【請求項７】
前記優先ネットワーク判定手段は、通信回線を介して取得した前記ネットワーク情報により前記ネットワーク情報テーブルを更新することを特徴とする請求項５または請求項６に記載の携帯通信端末装置。
【発明の詳細な説明】
【技術分野】
【０００１】
本発明は、ローミングサービスを利用する携帯通信端末装置であって、ローミングを行う際のネットワークの選択を行う携帯通信端末装置に関する。
【背景技術】
【０００２】
携帯通信端末装置、特に携帯電話において、契約している通信事業者と相互乗り入れの契約を行っている事業者のサービスエリアで、携帯電話をそのまま使用することができるローミングサービスが実施されている。通信事業者は、通常、複数の通信事業者とローミング契約を行っており、様々な地域で、ローミングサービスを利用することが可能となっている。特に、近年はＷ−ＣＤＭＡ等の技術を用いた第３世代の携帯電話が普及し、国内で使用している携帯通信端末を海外でもそのまま使用できる国際ローミングサービスに対応した端末が増えつつある。
【０００３】
このような携帯電話においては、世界的に普及しているＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）の機能も具備し、Ｗ−ＣＤＭＡが使用できない場合は、ＧＳＭの機能を用いて通信を可能とし、より多くの地域で通信を可能とするような機能を具備している携帯電話が増えつつある。
【０００４】
ローミングする際には、その地域で受信可能な事業者をサーチし、ローミングの対象となるネットワークに接続する必要があるが、前述のようにＷ−ＣＤＭＡやＧＳＭの機能を具備し、それぞれの携帯電話で割り当てられている周波数バンドを考慮した場合、多くのネットワークをサーチする必要があり、ネットワークをサーチする時間が非常に長くなり、ユーザの使い勝手は余りよくないものとなっている。
【０００５】
また、携帯電話を海外で使用する場合、一般的にはその料金が国内で通信を行うよりも高額となること、通信に利用できるサービスおよびその伝送速度は事業者により異なるため、所望のサービスを提供するネットワーク事業者で通信を行うことが要望される。
【０００６】
このようなローミング機能によるネットワーク接続は、海外で携帯電話の電源をＯＮにしたときに動作することとなる。任意のネットワーク事業者に接続された後、所望のネットワーク事業者に再度位置登録しなおす場合、接続が確立するまでユーザを待たせることとなり、あまり使い勝手がよくない。
【０００７】
さらに、任意のネットワーク事業者にローミングしている状態で着信を受けた場合は、この着信を受けたときに接続しているネットワークに自動的に接続されることとなってしまう。ローミングで携帯電話を使用する場合、着信を受ける場合であっても、携帯電話の使用者にその通信費用の一部を課金することが一般的であり、所望の事業者以外のネットワークで待ち受けを行っていることは、適切ではない。
【０００８】
このような問題を解決する為に、携帯電話の電源をＯＮした場合に、どのようにして最適な事業者のネットワークと接続を行うかについて、例えば、下記の特許文献１に記載されているよう提案がなされている。
【０００９】
上記特許文献１による接続手段によれば、ロケータを用いて端末の位置を特定し、その位置に応じたローミングリストを参照することにより、適切なネットワークを選択している。このロケータの機能は、移動通信デバイスの位置を把握し、その地理位置を位置コンバータに送信するものと記載されており、ＧＰＳを用いた衛星に基づくもの、ロケータビーコンまたは他の適切な信号を有する複数の基地局によって三角測量するものが提示されている。
【特許文献１】特表２００５−５０５９４９号公報
【発明の開示】
【発明が解決しようとする課題】
【００１０】
しかしながら、上記提示された方法では、ローミングで使用することを想定した場合、端末の位置を特定するのに時間を要することとなる。例えば、ＧＰＳを用いた場合であるが、海外への移動であることから、その測定位置は前回測定位置と比較し、大きく離れた場所となることが想定される。その場合、ＧＰＳは前回の測定データを利用した測位（Ｗａｒｍスタート）を利用することができず、Ｃｏｌｄスタートでの測位が必要となる。Ｃｏｌｄスタートでは、ＧＰＳの性能等にもよるが、初期測位に３０〜４０秒程度要するのが一般的である。海外で初めて電源をＯＮし、通話を開始しようとした場合、ＧＰＳ測位を行ってからネットワーク接続を行うことを考えると、通話するまでに１分程度、またはそれ以上の時間を要し、ユーザはその間待たされることとなる。
【００１１】
更に、初めて電源をＯＮした場所が例えば空港内であった場合、ＧＰＳからの電波状況が劣化し、更に長い測位時間を要するか、あるいは、最悪の場合測位が不可能となり、現在地を特定することができない。
【００１２】
また、携帯電話で、ＧＰＳの測位時間の短縮および測位精度を向上させる技術として、ＡｓｓｉｓｔｅｄＧＰＳの技術が実用化されている。これは、端末が存在する概略の位置（リファレンスポジション）とＧＰＳ測位に必要な航行データをネットワークから送信し、このデータを利用することにより、測位時間、精度を向上させるものである。しかしながら、初期のネットワーク検出を行う段階では、当然のことながらネットワークからのデータを取得することはできず、この技術を利用することはできない。
【００１３】
また、電波ビーコンおよび適切な信号を有する複数の基地局とあるが、これらについては、なんら具体的な測定方法が示されていない。現在、ローミングパートナーとなる、ローミング可能な事業者は、世界中に設定されているのが一般的である。これらの国々で共通に使用できる電波ビーコンが設置されているとは限らない。基地局についても同様に、三角測量に必要な信号が送信されているとは限らない。仮に送信されていたとしても、基地局の位置等を特定する方法は明示されておらず、もし、基地局からデータを受信し、位置を特定することを考えた場合、一旦通信可能な基地局を選択その基地局とのネットワークを確立する必要があり、現実的ではない。
【００１４】
そこで、本発明は、斯かる実情に鑑みて、提案されたものであり、移動先での受信可能なネットワークを優先的にサーチし、選択することにより、ユーザを長時間待たせることなく、ネットワーク接続することができ、また、空港などの屋内にいて、ＧＰＳや位置検出のためのビーコンなどの情報が無い場合でも、使用することができる携帯通信端末装置を提供しようとするものである。
【課題を解決するための手段】
【００１５】
上記課題を解決するために、本発明に係る携帯通信端末装置は、以下の特徴を備えている。
【００１６】
本発明に係る携帯通信端末装置は、ローミング機能を有する携帯通信端末装置であって、移動スケジュール情報を保存するための移動スケジュールテーブルと、前記移動スケジュール情報を取得し、前記移動スケジュールテーブルに前記移動スケジュール情報を登録する移動スケジュール情報取得手段と、ローミング可能なネットワーク事業者が提供するネットワーク情報を保存するネットワーク情報テーブルと、電源ＯＮ時に優先的に接続するネットワークの接続タイムスケジュールを保存するネットワーク切替スケジュールテーブルと、前記移動スケジュール情報と、前記ネットワーク情報とから優先ネットワーク情報を生成し、該優先ネットワーク情報及び前記移動スケジュール情報に基づいて前記ネットワーク切替スケジュールテーブルを生成する優先ネットワーク判定手段と、現在時刻を確認するための内部時計と、を備え、前記優先ネットワーク判定手段は、前記ネットワーク切替スケジュールテーブルに保存した前記接続タイムスケジュールの時刻と前記内部時計の時刻とを比較し、優先的に接続するネットワークを決定するようにしたことを特徴とする。
【００１７】
また、本発明に係る携帯通信端末装置は、前記移動スケジュール情報取得手段は、通信回線を介して配信された前記移動スケジュール情報により前記移動スケジュールテーブルを生成することを特徴とする。
【００１８】
また、本発明に係る携帯通信端末装置は、前記移動スケジュール情報取得手段は、ユーザインターフェース操作手段を備え、直接、該ユーザインターフェース操作手段により取得した移動スケジュール情報により前記移動スケジュールテーブルを生成することを特徴とする。
【００１９】
本発明に係る携帯通信端末装置は、ローミング機能を有する携帯通信端末装置であって、移動スケジュール情報を保存するための移動スケジュールテーブルと、前記移動スケジュール情報を感知する非接触型センサと、前記非接触型センサから転送される前記移動スケジュール情報を取得し、前記移動スケジュールテーブルに前記移動スケジュール情報を登録する移動スケジュール情報取得手段と、ローミング可能なネットワーク事業者が提供するネットワーク情報を保存するネットワーク情報テーブルと、電源ＯＮ時に優先的に接続するネットワークの接続タイムスケジュールを保存するネットワーク切替スケジュールテーブルと、前記移動スケジュール情報と、前記ネットワーク情報とから優先ネットワーク情報を生成し、該優先ネットワーク情報及び前記移動スケジュール情報に基づいて前記ネットワーク切替スケジュールテーブルを生成する優先ネットワーク判定手段と、現在時刻を確認するための内部時計と、を備え、前記優先ネットワーク判定手段は、前記ネットワーク切替スケジュールテーブルに保存した前記接続タイムスケジュールの時刻と前記内部時計の時刻とを比較して、優先的に接続するネットワークを決定するようにしたことを特徴とする。
【００２０】
また、本発明に係る携帯通信端末装置は、前記ネットワーク情報テーブルは、予め前記携帯通信端末装置内に生成されていることを特徴とする。
【００２１】
また、本発明に係る携帯通信端末装置は、記優先ネットワーク判定手段は、通信回線を介して配信された前記ネットワーク情報により前記ネットワーク情報テーブルを生成することを特徴とする。
【００２２】
更に、また、本発明に係る携帯通信端末装置は、前記優先ネットワーク判定手段は、通信回線を介して取得した前記ネットワーク情報により前記ネットワーク情報テーブルを更新することを特徴とする。
【発明の効果】
【００２３】
上記のように構成された本発明に係る携帯通信端末装置によれば、下記に示す優れた効果を奏し得る。
【００２４】
本発明によれば、予め移動スケジュール情報を取得し、どの時間にどの地域に移動しているかを確認しておき、移動先で電源をＯＮした場合は、その地域で受信可能なネットワークを優先的にサーチし、選択することにより、ユーザを長時間待たせることなく、音声電話、パケット通信などの利用を可能にすることができる。
【００２５】
また、移動スケジュール情報と装置内部の時刻情報から判断しているため、空港などの屋内にいて、ＧＰＳや位置検出のためのビーコンなどの情報が無い場合でも、現在地を推測することができ、使用環境による制限を受けることなく使用することができる。
【００２６】
更に、メールなどの通信機能により受信されたデータ、あるいは、非接触ＩＣカードを用いて航空券のチェックイン情報を取得することにより得られる移動スケジュール情報を基に、自動的にネットワーク事業者を選択することにより、使用者は、ローミングした際にそれらの設定を意識することなく、常に最短の時間で、ネットワークとの接続を確立し、使用することができ、例えば渡航先に到着し、到着した旨をすぐに自国に電話連絡しようとした場合でも、移動通信の端末を電源投入後、長時間待たされること無く、電話を使用することができる。
【発明を実施するための最良の形態】
【００２７】
以下、本発明の実施形態について図面を参照して説明する。
図１〜図９は、発明を実施する実施形態の一例であって、図中、図と同一の符号を付した部分は同一物を表わす。
【００２８】
＜第１の実施形態の説明＞
図１は、本発明に係る携帯電話機１の概略構成を示すブロック図である。
まず、本発明に係る携帯電話機１の構成及び概略動作について、図１を用いて簡単に説明する。
【００２９】
図１に示すように、本発明に係る携帯電話機１は、携帯電話の電波信号を送受信するアンテナ１０と、アンテナ１０によって送受信された電波信号をベースバンド信号に変換するＲＦ部１１と、ＲＦ信号の変復調を行うベースバンド部１２と、本装置全体の統括制御等を行う制御部１３と、画像、メッセージ等の表示を行う表示部１４と、ユーザとのインタフェースを行う操作部１５と、を備えて構成される。
【００３０】
また、制御部１３は、本発明の主たる構成要素である、ローミング可能なネットワークの一覧情報を保存したネットワーク情報テーブル１３４と、航空機等を用いた移動スケジュール情報を保存している移動スケジュールテーブル１３３と、移動スケジュール情報を取得し、前記移動スケジュールテーブル１３３に移動スケジュール情報を保存する移動スケジュール情報取得部１３２と、渡航先で優先的に接続するネットワークを決定する優先ネットワーク判定部１３１と、前記移動スケジュールテーブル１３３に登録されている移動スケジュール情報に基づいて生成される、どのタイミングでどのネットワークを選択すべきかを示すネットワーク切替スケジュール情報を保持するネットワーク切替スケジュールテーブル１３５と、携帯通信端末の内部時計１３６と、を含んで構成されている。
【００３１】
携帯電話のアンテナ１０で受信された無線信号は、ＲＦ部１１でベースバンド信号に変換され、ベースバンド部１２により復調処理される。ベースバンド部１２により復調されたデータは、制御部１３に転送され、制御部１３は、このデータをその受信チャンネルの内容に応じて、無線通信プロトコルに関する処理等の種々の制御データとして使用したり、あるいは、ユーザが実際に視聴する音声データ、パケットデータ等の個別データとして処理したりする。
【００３２】
図１には図示していないが、近年、携帯電話１には、ＧＰＳ機能、デジタルＴＶ受信機能、音楽再生機能など多彩な機能が搭載されており、制御部１３は、同様にこれらの機能を制御する手段が含まれる。
【００３３】
なお、上記では、無線信号をアンテナ１０から受信した場合の動作を説明したが、無線信号をアンテナ１０から送信する場合の動作については、受信の場合の逆の動作であるからここでは説明は省略する。
【００３４】
次に、上記のように構成された携帯電話機１において、本発明の主たる目的であるローミングを行う際、適切なネットワークを選択し、そのネットワークに接続するまでの一連の動作について、以下に詳細に説明する。
【００３５】
まず、ローミングを行う際の適切なネットワークを選択するための事前動作である移動スケジュール情報の取得、移動スケジュールテーブルの生成およびネットワーク切替スケジュールテーブルの生成を行う制御部１３の移動スケジュール情報取得部（手段）１３２及び優先ネットワーク判定部（手段）１３１の処理動作について、図５に示すフロー図を用いて説明する。
【００３６】
ここで、旅行、出張等の海外への移動スケジュール情報とは、例えば、入出国する予定の空港名、その出発および到着時刻等の情報、入国した時に、優先的に使用することができるネットワークを提供する優先ローミング業者の候補を示す優先ネットワークの情報である。
【００３７】
図２は、移動スケジュール情報の基に生成される移動スケジュールテーブルの例を示す図である。
旅行会社等からのメールにより送られてくる移動スケジュール情報には、予め上記のような情報が含まれており、移動スケジュール情報取得部１３２は、これらの情報から図に示すような移動スケジュールテーブル１３３を生成する。移動スケジュールテーブル１３３には、移動スケジュール情報（出発時刻、到着時刻、優先するローミング事業者の候補等）が保存される。
【００３８】
旅行会社等からメールにより旅行の移動スケジュール情報が提供された場合の処理例で説明する。
（移動スケジュールテーブルの生成）
海外への渡航が決まる前は、当然ながら、携帯電話機１は、自国内のホームネットワークに接続されており、通常は待ち受け状態で、通話やパケット通信の開始、あるいは電話の着信を待ち受けている状態である。
【００３９】
この状態で、旅行会社等から送付されたメールを受信すると、メールの内容は、アンテナ１０、ＲＦ１１、ベースバンド部１２を通過し、制御部１３の移動スケジュール情報取得部１３２に入力される（ステップＳ２００）。移動スケジュール情報取得部１３２は、移動スケジュール情報に関するメールか、あるいは、それ以外の通常のメールであるかを判別する（ステップＳ２１０）。
【００４０】
メールの判別は、移動スケジュール情報を含むメールに、それを特定する為の情報を付加することにより実現される。例えば、メール本文の先頭に移動スケジュールであることを示す文字列を付加したり、メールのタイトルを“移動スケジュール情報”としたりすることで実現する。あるいは、メールのヘッダーの一部にメールの種別を示す判定ビットを挿入するようにしてもよい。
【００４１】
これらの判定条件において、メールが通常のものであると判断された場合は（ステップＳ２１０；Ｎｏ）、メールが届いたという情報を表示部１４に通知する等の通常メール処理を行い、本処理を終了する（ステップＳ２２０）。これによって、ユーザは、操作部１５にてメールの閲覧操作を行い、表示部１４により表示されるメールの内容を閲覧することができる。
【００４２】
一方、メールが移動スケジュール情報に関するものである場合（ステップＳ２１０；Ｙｅｓ）、移動スケジュール情報取得部１３２は、移動スケジュールテーブル１３３を生成し、メールの内容から、移動スケジュール情報部分を切り出し、図２に示すような移動スケジュール情報を移動スケジュールテーブル１３３に登録する（ステップＳ２３０）。さらに、優先ネットワーク判定部１３１は、上記移動スケジュール情報に基づき、ネットワーク情報テーブル１３４の情報を参照して、後述する優先ネットワーク情報を生成する（ステップＳ２４０）。
【００４３】
（ネットワーク切替スケジュールテーブルの生成）
次に、上記優先ネットワーク情報及び移動スケジュール情報に基づき、優先ネットワーク判定部１３１は、適切なネットワークを選定するためのネットワーク切替スケジュールテーブル１３５を生成する。
【００４４】
図４は、ネットワーク切替スケジュールテーブルの例を示す図である。
ここで、優先ネットワーク情報とは、通信業者が提供しているネットワークに接続するための基本ネットワーク情報である。
【００４５】
図２に示す移動スケジュールテーブル１３３に登録されている移動スケジュール情報には、優先ローミング事業者として事業者のみが登録されるため、ネットワーク切替スケジュールテーブル１３５には、電源がＯＮされた場合にどの時刻で優先ネットワークに切り替え可能かを示す切替時刻情報、および利用可能な優先ネットワークの基本情報を登録する必要がある。
【００４６】
すなわち、ネットワーク切替スケジュールテーブル１３５には、電源がＯＮされた場合にどの時刻で所望の優先ネットワークに切り替え可能かを示す切替時刻情報、および優先ネットワーク情報であるネットワーク名、国識別番号となるＭＣＣ、ネットワークを提供しているサービス事業者の識別コードなるＭＮＣ、通信に使用されている無線システムが例えば、Ｗ−ＣＤＭＡかＧＳＭかを示す無線システム情報、および、どの周波数のバンドが使用されているかの周波数バンド情報等が登録される。
【００４７】
なお、この優先ネットワーク情報は、移動スケジュールテーブル１３３に登録されている優先ローミング業者をインデックスとして、図３に示すネットワーク情報テーブル１３４が参照されて、生成される。そして、移動スケジュール情報とともに、ネットワーク切替スケジュールテーブル１３５にコピーされる。
【００４８】
図４に示す切替時刻情報の例では、航空機の出発／到着時刻が変更された場合のことを考慮し出発時刻、到着時刻のちょうど中間の時刻を設定しているが、この時刻に固定されるものではなく、例えば、到着時刻の数時間前等の時刻を記憶するようにしても構わない。
【００４９】
ところで、上記優先ネットワーク情報がネットワーク切替スケジュールテーブル１３５に登録されるタイミングは、ネットワークの切替を確実に行うために、渡航先への航空機等に搭乗後、一定時間経過後に行われる。そして、この時間経過後、海外で使用している間は、ここで設定されたネットワークを優先的に検出し、短時間で適切なネットワークとの接続を行うことができ、通話、パケット通信などを実行することができる。
【００５０】
一方、帰国時においては、ネットワーク切替スケジュールテーブル１３５には自国に戻る時刻が登録されており、この時刻以降では、ユーザが契約しているホームネットワークに強制的に接続される。そして、後述するように、ホームネットワーク接続確認後に、ネットワーク切替スケジュールテーブル１３５を消去する。
なお、ネットワーク情報テーブル１３４は、予め制御部１３内に生成しておいてもよいし、優先ネットワーク判定部１３１によって、渡航前に旅行会社のメールによりネットワーク情報を受信し、生成するようにしてもよい。
【００５１】
（ネットワークの選択・接続）
以下、ネットワークの選択・接続の動作について図６のフロー図を用いて説明する。
電源投入時、まず、制御部１３の優先ネットワーク判定部１３１は、ネットワーク切替スケジュールテーブル１３５が生成されているかどうかを判定する（ステップＳ３００）。
【００５２】
もし、このテーブルが生成されていなければ（ステップＳ３００；Ｎｏ）、優先ネットワーク判定部１３１は、通常のネットワークサーチ処理を行う（ステップＳ３１０）。すなわち、ホームネットワークを優先的に検出する。例えば、ホームネットワークが第３世代携帯電話のネットワークＷ−ＣＤＭＡのシステムである場合は、優先ネットワーク判定部１３１は、Ｗ−ＣＤＭＡでかつホームネットワークでサービスされている周波数バンドの電波を優先的に検出し、検出された基地局に対して位置登録の処理を行う。
【００５３】
この処理により、携帯電話機１は、ネットワークとリンクが保たれた待ち受け状態となり、いつでも通話、パケット通信が開始可能な状態となる。ＢＴＳからページング等で着信があったことが通知されれば、制御部１３は、一般的な携帯電話の着信処理を実施し、表示部１４に着信があることが表示、操作部１５で受信の為のオフフックの操作を行うことにより、音声通話やＴＶ電話を開始したり、あるいは、操作部１５により表示部１４で示された処理を行うことで、パケットで受信したデータの確認を行ったりすることができる。
【００５４】
一方、ネットワーク切替スケジュールテーブル１３５が生成されており、スケジュールが登録されている場合は（ステップＳ３００；Ｙｅｓ）、登録されたスケジュールに従った制御が実施される。
【００５５】
すなわち、優先ネットワーク判定部１３１は、内部時計１３６の時刻を取得する。そして、内部時計１３６の時刻とネットワーク切替スケジュールテーブル１３５に登録されている時刻とを比較し、ローミングする国に入国したかを判断する（ステップＳ３３０）。
【００５６】
例えば、内部時計１３６の時刻が５／１０１７：００以前の時刻を示している時、まだ海外への移動を行っていないと判断し、前述のスケジュールが無い場合同様、ホームネットワークに優先的に接続する（ステップＳ３４０）。
【００５７】
つまり、まだ国内に滞在中に、ユーザが電源のＯＦＦ／ＯＮを実行しても、ホームネットワークに接続する手続きが行われ、待ち受け状態に遷移し、通常の通信動作を行うことができる。
【００５８】
一方、５／１０  １７：００を過ぎており、５／１６  ０１：００以前の時刻にあるときは、優先ネットワーク判定部１３１は、海外でローミングを実施しようとしているものと判断する。
【００５９】
この場合は、優先ネットワーク判定部１３１は、ネットワーク切替スケジュールテーブル１３５に登録されているネットワーク情報のうち、優先順位が高い順にネットワークの検出処理を行い、接続を開始する（ステップＳ３５０）。
【００６０】
すなわち、優先ネットワーク判定部１３１は、優先順位の一番高いＢ国通信事業社１がサービスを行っている通信方式、および周波数バンドでネットワークのサーチを行う。Ｂ国通信事業社１のネットワークを検出した場合は、その事業者に位置登録を行い、ローミング先でのネットワークとして使用する。
【００６１】
ここで、もし、Ｂ国通信事業社１が使用不可である場合は、優先ネットワーク判定部１３１は、次の優先順位であるＢ国通信事業社２がサービスをしている通信方式および周波数バンドでネットワークのサーチを行い、ネットワークを検出した場合は、位置登録を実行する。
【００６２】
このようにして、位置登録を実行した後は、ローミング先の事業者が提供しているサービスを利用することが可能となる。例えば、音声電話、ＴＶ電話、メール、ブラウザの閲覧の機能がサービスされていれば、携帯電話機１に実装されているそれらの機能を用いて通信可能となる。
【００６３】
また、音声電話が使用したい場合は、その操作部１５により、所望の相手の電話番号を予め保存されている電話帳から取得し、発呼操作を行うことにより、通話を開始することができる。
【００６４】
渡航先にいる間に電源のＯＦＦ／ＯＮが繰り返された場合は、優先ネットワーク判定部１３１は、ネットワーク切替スケジュールテーブル１３５に記録されている時刻の情報と内部時計１３６の時刻を参照し、電源投入時の時刻は渡航先にいることを判断する。このようにすることにより、常にローミング先のネットワークを優先して検出することができ、接続するネットワークをサーチする時間を大幅に削減することができる。
【００６５】
さらに、渡航先の空港に到着し、そこで本体を起動し、通話やパケット通信を行おうとした場合、従来例のようにＧＰＳなどのように他の通信機器を利用しないため、電源投入後、すぐにネットワーク検出の動作を開始することができるため、位置確認の時間も削減し、ユーザを待たせる時間を更に削減することができ、スムーズに通信を行うことができる。
【００６６】
なお、自国に戻った場合は、優先ネットワーク判定部１３１は、内部時計１３６の時刻が５／１６  ０１：００以後であることを確認し、ホームネットワークを優先的にサーチし、通常使用しているホームネットワークを優先的に接続する。このように、ネットワーク切替スケジュールテーブル１３５に登録されている最後のスケジュールの時刻を経過した後に、ホームネットワークに接続された場合は、自国に戻っていると判断する。
【００６７】
この判断を行った優先ネットワーク判定部１３１は、ネットワーク切替スケジュールテーブル１３５を削除し、全てのスケジュール情報を消去する。これにより、前記ネットワーク切替スケジュールテーブル１３５が生成されていない状態に復帰し、以降電源ＯＮにおいては、通常使用しているホームネットワークを優先して接続する。
【００６８】
また、本実施形態では、優先ローミング事業者のネットワーク情報を旅行会社からのメールを受信することにより入力したが、これに限られるものではなく、例えば、ユーザによる操作部１５により入力する方法でも良い。
【００６９】
また、携帯電話の通信方式についても、ＧＳＭ／Ｗ−ＣＤＭＡを例としてあげているが、ＯＦＤＭを用いた通信方式や、ＰＨＳ等、種々の移動体通信に使用している通信方式に対して適用可能である。
また、ネットワーク情報テーブル１３４に予め登録されている通信速度や、課金情報は、実際の使用した通信記録を基に、優先ネットワーク判定部１３１により更新しておく。これにより、渡航が多い地域に対して最新の情報を維持することができる。
【００７０】
＜第２の実施形態の説明＞
次に、Ｆｅｌｉｃａ、Ｅｄｙ等に代表されるような非接触型センサ（以下、非接触ＩＣカードと呼ぶ）を用いて、移動スケジュール情報を取得する第２の実施形態に係る携帯電話機２について説明する。
【００７１】
図７は、第２の実施形態に係る携帯電話機２の概略構成を示すブロック図である。
図７に示す携帯電話２の構成は、制御部２０の移動スケジュール情報取得部１４２に接続されている非接触ＩＣカード部１６と非接触ＩＣカード用のアンテナ１７が付加されているのを除き、図１の携帯電話機１と基本的に構成が同じである。従って、各部構成の説明は、省略する。
【００７２】
近年は、非接触ＩＣカードによるサービスが普及し、非接触ＩＣカードを用いて航空券のチェックインサービスなどが可能となっている。本実施形態に係る携帯電話機２は、このようなサービスに対応している場合、非接触ＩＣカードを介して、データの送受信用のアンテナを介して、チェックインと同時に、出国時の空港名と、渡航先の入国する空港名およびそれぞれの出国時刻、入国時刻等の移動スケジュール情報を自動的に取得する。出国する度に、上記移動スケジュール情報を非接触ＩＣカード部１６から取得し、この情報に基づいてネットワーク切替スケジュールテーブル１４５を生成し、このテーブルを用いて、入国先での最適なネットワークの選択・接続するまでの一連の動作を行うものである。
【００７３】
まず、ローミングを行う際の適切なネットワークを選択するための事前動作である移動スケジュール情報の取得、移動スケジュールテーブルの生成およびネットワーク切替スケジュールテーブルの生成を行う制御部２０の移動スケジュール情報取得部１４２及び優先ネットワーク判定部１４１の処理動作について、図８に示すフロー図を用いて説明する。
（移動スケジュールテーブルの生成）
非接触ＩＣカード部１６は、出入国の際に、移動スケジュール情報をその場で読み取り、制御部２０の移動スケジュール情報取得部１４２に転送する（ステップＳ４００）。
【００７４】
図２に示すように、例えば、出国時の航空券のチェックイン時に、移動スケジュールテーブル１４３のうち上２段の移動スケジュール情報が登録され、帰国時の航空券のチェックイン時に、下２段の移動スケジュール情報が登録される。
上記第１の実施形態と同様に、移動スケジュール情報取得部１４２は、転送された移動スケジュール情報を移動スケジュールテーブル１４３に登録する（ステップＳ４１０）。
【００７５】
そして、優先ネットワーク判定部１４１は、登録された移動スケジュール情報に基づき、図４に示すネットワーク情報テーブル１４４を参照して、優先ネットワーク情報を生成する（ステップＳ４２０）。
【００７６】
なお、移動スケジュール情報に含まれるネットワークの切替の時刻は、非接触ＩＣカードを介して得られたフライト時刻が登録されるが、前述の第１の実施形態で示したように、登録したこのフライト時刻を参照して、出国後、渡航先に到着するまでの任意の時刻を設定しても構わない。
【００７７】
ここで、本実施形態の場合は、前述した第１の実施形態とは異なり、上記ＩＣカード部からの移動スケジュール情報には、図２に示すような利用可能な優先ローミング業者の情報は含まれていない。そこで、優先ネットワーク判定部１４１は、移動スケジュールテーブル１４３には、空港名が含まれていることから、この空港名をインデックスとして、ネットワーク情報テーブル１４４に登録されている接続可能なネットワーク情報から優先ネットワーク情報を生成する。利用可能なネットワークが一つしかない場合、そのネットワークに基づいて優先ネットワーク情報を生成する。
【００７８】
もし、ネットワーク情報テーブル１４４に利用可能な複数のネットワーク情報が登録されている場合は、優先ネットワーク判定部１４１は、通信速度を優先して利用するのか、あるいは、使用料金を優先してしようするのかの要望条件の基に、優先ネットワークを決定し、優先ネットワーク情報を生成するようにしてもよい。
【００７９】
このように、非接触ＩＣ部１６を介して、各国の航空券のチェックインする際に、渡航情報（出国時刻等）が取得され、チェックインする際の最新のフライト情報を基に、移動スケジュールテーブル１４３に移動スケジュール情報を登録することができる。万が一出発時刻が大幅に変更されるような状況となっても、その時刻の変更を反映することができる。また、飛行機等に搭乗する毎に移動スケジュール情報を更新していくため、急な予定変更があったとしても、優先ネットワーク情報をその都度生成することができる。
【００８０】
（ネットワーク切替スケジュールテーブルの生成）
優先ネットワーク判定部１４１は、上記優先ネットワーク情報が生成されると、ネットワーク切替スケジュールテーブル１４５を生成し、このネットワーク切替スケジュールテーブル１４５に上記生成された優先ネットワーク情報及び移動スケジュール情報を登録する（ステップＳ４３０）。
【００８１】
このような方法を取ることにより、特に、メール等の通信機能を介することなく、ネットワーク切替スケジュールテーブル１４５を生成することができる。
【００８２】
ネットワークの選択・接続の動作については、基本的に、上述した第１の実施形態において図６に示す動作フローで説明したと同様であるから、詳細な説明を省く。
【００８３】
以上説明したように、本実施形態に係る携帯電話機２によれば、優先ネットワークを決定する際の最新のネットワーク情報を取得することができ、より適切なネットワークを選択することができる。
また、本実施形態では航空機での移動による例を示したが、例えば、船舶用な他の移動手段を用いる場合でも、非接触ＩＣカード部１６を介して移動ネットワーク情報を取得することができれば、同様の効果を得ることができる。
【００８４】
（他の実施形態）
ここで、移動ネットワーク情報を取得する他の実施形態として、移動スケジュール情報入力操作画面を介して、移動スケジュール情報を取得することも可能である。
【００８５】
図９は、移動スケジュール情報を移動スケジュール情報入力操作画面により、取得する場合の動作を示すフロー図である。
【００８６】
移動スケジュール情報取得部１４２は、操作部１５の指示により、表示部１４に移動スケジュール情報入力操作画面を表示する。この移動スケジュール情報入力操作画面上に表示される項目欄にカーソルを移動させて、渡航スケジュール（移動スケジュール情報）の各情報を取得する（ステップＳ５００）。すなわち、操作部１５を介して、渡航スケジュールの入力情報、例えば、出国する際の空港名、その出発時刻等を順次入力し、移動スケジュール情報を取得することができる。
【００８７】
なお、図９に示すステップＳ５１０〜５３０の処理は、図８に示すステップＳ４１０〜４３０の処理と同等であり、説明は省略する。
【００８８】
このように入力操作画面を介して、移動スケジュール情報を取得することにより、旅行会社から特別なメールを受信して、情報を取得したり、非接触カードを用いてチェックイン時のサービス提供を受けたりすることなく、本発明の効果を享受することが可能となる。
【００８９】
尚、本発明の携帯通信端末装置は、上記した実施形態に限定されるものではなく、本発明の要旨を逸脱しない範囲内において種々変更を加え得ることは勿論である。
【図面の簡単な説明】
【００９０】
【図１】本発明の第１の実施形態に係る携帯電話機の概略構成を示すブロック図である。
【図２】移動スケジュール情報の基に生成される移動スケジュールテーブルの例を示す図である。
【図３】ネットワーク情報テーブルの例を示す図である。
【図４】ネットワーク切替スケジュールテーブルの例を示す図である。
【図５】移動スケジュールテーブルの生成およびネットワーク切替スケジュールテーブルの生成動作を示すフロー図である。
【図６】ネットワークの選択・接続の動作を示すフロー図である。
【図７】第２の実施形態に係る携帯電話機１の概略構成を示すブロック図である。
【図８】本発明の第２の実施形態に係る携帯電話機の移動スケジュールテーブルの生成およびネットワーク切替スケジュールテーブルの生成動作を示すフロー図である。
【図９】移動スケジュール情報を移動スケジュール情報入力操作画面により、取得する場合の動作を示すフロー図である。
【符号の説明】
【００９１】
１、２  携帯電話機
１０  アンテナ
１１  ＲＦ部
１２  ベースバンド部
１３、２０  制御部
１４  表示部
１５  操作部
１６  非接触ＩＣカード
１７  非接触ＩＣカード用のアンテナ
１３１、１４１  優先ネットワーク判定部
１３２、１４２  移動スケジュール情報取得部
１３３、１４３  移動スケジュールテーブル
１３４、１４４  ネットワーク情報テーブル
１３５、１４５  ネットワーク切替スケジュールテーブル
１３６  内部時計
【図１】
2008258739.tif 000003
【図２】
2008258739.tif 000004
【図３】
2008258739.tif 000005
【図４】
2008258739.tif 000006
【図５】
2008258739.tif 000007
【図６】
2008258739.tif 000008
【図７】
2008258739.tif 000009
【図８】
2008258739.tif 000010
【図９】
2008258739.tif 000011